(57)【要約】      （修正有）【課題】マットカバーのみを取り外して洗濯でき、またマット基材へのマットカバーの着脱が容易で、かつマットカバーをマット基体にしっかりと固定できるフロアマットを提供する。【解決手段】裏地材１１の表面に低反発フォーム１２を積層したマット基材１３と、マット基材１３の表面全域からその外周部の裏面までを被うマットカバー１４とを備え、裏地材１１の外周部の裏面に、この裏地材１１の周方向へ所定間隔をあけて複数の第１の面ファスナ１６を配設し、マットカバー１４の外周部の裏面に、対応する第１の面ファスナ１６に掛止される複数の第２の面ファスナ１７を、マットカバー１４の周方向へ所定間隔をあけて配設してラグ１０を設けた。【選択図】図２
0003206305.tif 000002
【実用新案登録請求の範囲】
【請求項１】
裏地材に低反発フォームが積層されたマット基材と、
該マット基材の表面全域からその外周部の裏面までを被うマットカバーとを備えたフロアマットであって、
前記裏地材の外周部の裏面に、この裏地材の周方向へ所定間隔をあけて複数の第１の面ファスナが配設され、
前記マットカバーの外周部の裏面に、対応する第１の面ファスナに掛止される第２の面ファスナが、前記マットカバーの周方向へ所定間隔をあけて複数配設されたことを特徴とするフロアマット。
【請求項２】
前記フロアマットはラグで、
前記マットカバーが、ウォッシャブルな布材であることを特徴とする請求項１に記載のフロアマット。
【請求項３】
前記フロアマットは矩形状のもので、
前記マットカバーの周縁部の四隅部分のみには、対応する前記第１の面ファスナと前記第２の面ファスナとの掛止作業を行う前に、前記マットカバーを前記マット基材に仮止めする弾性紐が配設された請求項１または請求項２に記載のフロアマット。
【請求項４】
前記裏地材の外周には、その全周にわたってヘム部が形成され、
前記低反発フォームは、その表面およびその周端面を露出して、前記裏地材の表面のうちの前記ヘム部より内側の領域全体に積層された請求項１〜請求項３のうち、何れか１項に記載のフロアマット。
【考案の詳細な説明】
【技術分野】
【０００１】
この考案は、フロアマット、詳しくは建物の床に敷設されるラグ等のフロアマットに関する。
【背景技術】
【０００２】
住宅の床に敷設されるフロアマットとして、フローリングの一部のみに敷かれるラグが知られている。
近年、ラグの一種として、中材にウレタンの低反発フォームを使用し、これを不織布の裏地とパイル地の表材とにより挟持したものが市販されている（例えば非特許文献１）。このラグは、低反発フォームを中材に採用したため、遮音性に優れ、クッション性および保温性も高い。
【先行技術文献】
【特許文献】
【０００３】
【非特許文献１】［平成２８年６月２３日検索］、インターネット＜URL：http://store.shopping.yahoo.co.jp/youai/burrs-2.html
【考案の開示】
【考案が解決しようとする課題】
【０００４】
しかしながら、非特許文献１のラグは、このように中材に低反発フォームを採用したため、家庭において、洗濯機等を使用して水洗いすることができなかった。仮に、ウレタン製の低反発フォームを水洗いすれば、ウレタンが加水分解して劣化し、低反発フォームの特性であるクッション性が損なわれることになる。しかも、水に濡れた低反発フォームは乾きが極めて悪く、乾燥させるために数日を要する等の問題もある。
【０００５】
そこで、考案者は鋭意研究の結果、裏地材に低反発フォームが積層されたマット基材の表面全域からその外周部の裏面までをマットカバーにより被い、さらに裏地材の外周部の裏面と、マットカバーの外周部の裏面とを、複数の面ファスナによって着脱自在に掛止すれば、ラグの表面が汚れた場合、マットカバーのみをマット基材から剥がして水洗い可能なことを知見し、この考案を完成させた。
【０００６】
すなわち、この考案は、このような問題点に鑑みなされたもので、マットカバーのみを取り外して洗濯することができ、またマット基材へのマットカバーの着脱が容易であるとともに、マットカバーをマット基体にしっかりと固定することができるフロアマットを提供することを目的としている。
【課題を解決するための手段】
【０００７】
請求項１に記載の考案は、裏地材に低反発フォームが積層されたマット基材と、該マット基材の表面全域からその外周部の裏面までを被うマットカバーとを備えたフロアマットであって、前記裏地材の外周部の裏面に、この裏地材の周方向へ所定間隔をあけて複数の第１の面ファスナが配設され、前記マットカバーの外周部の裏面に、対応する第１の面ファスナに掛止される第２の面ファスナが、前記マットカバーの周方向へ所定間隔をあけて複数配設されたことを特徴とするフロアマットである。
【０００８】
請求項２に記載の考案は、前記フロアマットはラグで、前記マットカバーが、ウォッシャブルな布材であることを特徴とする請求項１に記載のフロアマットである。
【０００９】
請求項３に記載の考案は、前記フロアマットは矩形状のもので、前記マットカバーの周縁部の四隅部分のみには、対応する前記第１の面ファスナと前記第２の面ファスナとの掛止作業を行う前に、前記マットカバーを前記マット基材に仮止めする弾性紐が配設された請求項１または請求項２に記載のフロアマットである。
【００１０】
請求項４に記載の考案は、前記裏地材の外周には、その全周にわたってヘム部が形成され、前記低反発フォームは、その表面およびその周端面を露出して、前記裏地材の表面のうちの前記ヘム部より内側の領域全体に積層された請求項１〜請求項３のうち、何れか１項に記載のフロアマットである。
【００１１】
フロアマットの種類は限定されない。例えば、ラグ、玄関マット、絨毯、カーペットなどを採用することができる。
フロアマットの形状は任意である。例えば、矩形、円形、楕円形、三角形、五角形以上の多角形を採用することができる。
ここでいう低反発フォームとは、軟質ウレタンフォームの一種で、ポリオール類、ポリイソシアネート類、発泡剤、整泡剤、着色剤等の組み合わせ、その混合割合、その製造条件等を適宜選択することにより製造される。
低反発フォームの構造は、気泡が連通し、圧縮後に外力を取り除いたとき、ゆっくりと形状が元に戻る性質があり、一般フォームに比較して反発弾性率が小さい。その結果、低反発フォームは衝撃吸収性、制振性、体圧分散性、吸音性、断熱性等の特性を有している。
【００１２】
低反発フォームの厚みは任意である。例えば、５ｍｍ〜５０ｍｍ、好ましくは８ｍｍ〜４０ｍｍ、さらに好ましくは１０ｍｍ〜３０ｍｍである。
低反発フォームの密度は限定されない。例えば、２５Ｄ（ｋｇ／ｍ３）〜７０Ｄ（ｋｇ／ｍ３）、好ましくは３５Ｄ（ｋｇ／ｍ３）〜６０Ｄ（ｋｇ／ｍ３）、さらに好ましくは４０Ｄ（ｋｇ／ｍ３）〜６０Ｄ（ｋｇ／ｍ３）である。
低反発フォームの反発弾性Ｒ（低反発弾性ＲＬ）は任意であるものの、例えば、２％〜３０％、好ましくは５％〜２０％、さらに好ましくは７％〜１３％以下である。
ここでいう“反発弾性”とは、ＪＩＳ−Ｋ−６４００−３：２０１１により規定される反発弾性である。
【００１３】
裏地材の素材は任意である。例えば、不織布等の布材を採用することができる。単層体でも、同一素材または異なる素材を重ね合わせた複層体でもよい。
裏地材の裏面には、例えば、凹凸を設けるといった滑り止め加工を施すことができる。
また、裏地材の外周には、その全周にわたってヘム部を形成した方が望ましい。ヘム部は裏地材の外周縁を直接折り返して形成しても、裏地材の外周縁にヘム用の帯材で包んで形成してもよい。
このとき、低反発フォームは、その表面および周端面を露出した状態で、裏地材の表面のうちのヘム部より内側の領域全体に積層される。裏地材と低反発フォームとは、接着剤や両面テープ等により固定される。
ここでの低反発フォームの使用は、一般的なウレタンフォームの使用形態である袋カバーによる被覆状態での使用ではなく、製造工場から出荷された原材のままでの使用であるため、フロアマット製造効率が高まり、かつ低コスト化も図れるとともに、低反発フォームの表面がマットカバーのずれ止めの役割も果たす。さらには、袋カバーを使用しないため、これらのマットカバーと袋カバーとを併用した場合に比べて、低反発フォームの圧縮後に外力を取り除いた際、マットカバーが元のように膨らむまでその形状がゆっくりと戻っていく低反発フォーム特有の感触が損なわれない。
【００１４】
しかしながら、露出した低反発フォームにマットカバーを被せれば、マットカバーが裏面側へ回り込むマット基材の外周部において、カバー着脱時、低反発フォームの外周部、特にその上側角部が損傷（ヘタリや欠け等）し易くなることが懸念される。
【００１５】
そこで、ここでは、裏地材の外周の全周にわたりヘム部を形成し、ヘム部より内側の領域全体に低反発フォームを積層するように構成している。これにより、マットカバーのマット基材への着脱時、このヘム部が、マット基材の外周部を包むマットカバーの外周部の当て枠（ガイド枠）となる。その結果、低反発フォームの保形成が高まり、マットカバーを着脱する際に低反発フォームの外周部、特にその上側角部にヘタリや欠け等の損傷がし難くなる。このように、フォーム外周部がヘタらず、エッジが残った形状を維持できれば、フロアマットのデザイン性が高まり、フロアマットの外周縁を含むその全域にわたって、マットの中央部分と遜色のないクッション性（踏み心地）等が得られる。
なお、ヘム部の厚さおよび幅は、低反発フォームの厚さの０．２〜１倍が好ましい。０．２倍未満では、ヘム部が小さすぎてカバー着脱時の低反発フォームの外周部の保護効果が十分に得られない。また、１倍を超えればヘム部が大きすぎてしまい、フロアマットの外周部において低反発フォームの効果が得られない。
【００１６】
マットカバーの素材は任意である。例えば、各種の織布、各種の不織布、各種の編布といった布材（布帛）を採用することができる。その他、皮革、合成樹脂シートでもよい。ただし、ウォッシャブルな布材を採用した方が好ましい。
また、マットカバーは、その四隅の周縁部のみに弾性紐を取り付け、この四隅部分を伸縮自在な絞り部分とした方が望ましい。これは、マット基材の外周部をマットカバーの外周部により包んだ状態で行われる各第１，２の面ファスナの掛止作業において、各弾性紐の弾性力によりマットカバーの四隅部分をマット基材の四隅部分に仮止めし、この掛止作業を容易に行えるためである。なお、マットカバーの周縁部の全域に弾性紐を取り付けることも考えられる。しかしながら、この方法では全ての第１，２の面ファスナの掛止時に、弾性紐の弾性力に抗してマットカバーの外周部を捲らなければならず、かえって作業効率が低下するとともに、長尺な弾性紐を使用することで不経済である。
弾性紐の種類は限定されない。例えば、各種のゴム紐を採用することができる。
弾性紐の使用数は、マットカバーの各隅部に１つずつでも、複数ずつでもよい。
【００１７】
第１の面ファスナおよび第２の面ファスナの種類は、互いに掛止可能なものであれば任意である。例えば、一方をフック構造の雄型面ファスナ、他方をループ構造の雌型面ファスナとしてもよい。さらには、第１，２の面ファスナを、フックとループとが混在した面ファスナとしてもよい。
第１，２の面ファスナの使用数は任意である。
第１の面ファスナは、裏地材の外周部の裏面に、裏地材の周方向へ所定ピッチ（例えば数ｃｍ〜数十ｃｍ間隔）で固定してもよい。
また、第２の面ファスナは、マット基材の外周部の裏面のうち、対応する第１の面ファスナに対峙する位置に固定される。
【考案の効果】
【００１８】
この考案によれば、低反発フォームを有するマット基材の表面全域からその外周部の裏面までをマットカバーにより着脱自在に被うように構成したため、フロアマットの表面が汚れた場合には、その汚れたマットカバーのみを取り外して洗濯することができる。
また、マットカバーの着脱時には、裏地材の外周部の裏面に固定された各第１の面ファスナから、マットカバーの外周部の裏面に固定された各第２の面ファスナを掛脱するだけでよいため、マット基材へのマットカバーの着脱が容易となる。
【００１９】
しかも、マットカバーの外周部は、マット基材の外周部を包むようにこのマット基材の外周部の裏側に配置され、かつ裏地材の外周部の裏面に、この裏地材の周方向へ所定間隔をあけて配設された複数の第１の面ファスナと、マットカバーの外周部の裏面に、このマットカバーの周方向へ所定間隔を開けて配設された複数の第２の面ファスナとを介して掛止するように構成したため、例えば、単にマットカバーの周縁部に弾性紐を取り付け、この周縁部分に伸縮性を付与してマット基材の裏側でマットカバーの外周部を絞るものに比べて、マットカバーをマット基材にしっかりと取り付けることができる。これにより、フロアマットの使用時、マットカバーの端部が捲れたり、マットカバーが位置ずれしてフロアマット（マットカバー）の表面に皺が現出するおそれが少ない。特に、幼い子供がいる家庭では、子供がフロアマット上ではげしく暴れたり、フロアマットを引きずることがあるが、そのような場合でも上述したマットカバーの端部の捲れや、位置ずれを原因としたフロアマット表面上の皺の発生を抑えることができる。
【図面の簡単な説明】
【００２０】
【図１】この考案の実施例１に係るフロアマットにおけるマットカバーを一部切欠した状態の斜視図である。
【図２】この考案の実施例１に係るフロアマットにおけるマットカバーの要部拡大断面図である。
【図３】この考案の実施例１に係るフロアマットにおける第１の面ファスナと第２の面ファスナとの配設位置を示す背面図である。
【図４】この考案の実施例１に係るフロアマットの第１の面ファスナと第２の面ファスナとの掛止開始直前の状態を示す斜視図である。
【考案を実施するための形態】
【００２１】
以下、この考案の実施例を具体的に説明する。ここでは、住宅のリビングのフローリングに敷設される矩形状のラグを例にとる。
【実施例】
【００２２】
図１および図２において、１０はこの考案の実施例１に係る矩形状のラグ(フロアマット)で、このラグ１０は、裏地材１１の表面に低反発フォーム１２が積層されたマット基材１３と、マット基材１３の表面全域からその外周部の裏面までを被うマットカバー１４とを備えたものである。
【００２３】
以下、これらの構成体を具体的に説明する。
裏地材１１は、厚さ数ｍｍの矩形状の厚肉な不織布からなり、その裏面全域に滑り止めとなる凹凸加工が施されている。
裏地材１１の外周全域には、低反発フォーム１２の貼着領域を区画するヘム部１５が形成されている。ヘム部１５の厚さおよび幅は、いずれも低反発フォーム１２の厚さの約０．５倍である。
低反発フォーム１２は、厚さが２０ｍｍ、密度が４０Ｄｋｇ／ｍ３、反発弾性Ｒ（低反発弾性ＲＬ）が１５％、復元率が９７％以上、ホルムアルデヒド含有量が０．０１ｐｐｍ以下のものである。なお、“反発弾性”は、ＪＩＳ−Ｋ−６４００−３：２０１１に準ずる。
低反発フォーム１２は、接着剤を介して、裏地材１１の表面のうちのヘム部１５により囲まれた領域に分離不能に接着（固定）されている。
図２に示すように、裏地材１１の外周部の裏面には、各辺の両端部と各辺の長さ方向の中間部とに、長さ５ｃｍのフック型面ファスナである第１の面ファスナ１６が合計１２枚縫着されている（図３）。
【００２４】
また、マットカバー１４は、裏地材１１より大判な矩形状の布材で、その外周部の裏面の対応する位置に、各第１の面ファスナ１６に掛止される第２の面ファスナ１７が合計１２枚縫着されている。第２の面ファスナ１７は、ループ型面ファスナである。
マットカバー１４は、難燃性を有したフランネル生地からなり、防ダニ加工が施されている。
マットカバー１４の四隅の周縁部には、この周縁部分に伸縮性を付与するゴム紐（弾性紐）１８が取り付けられている。
【００２５】
次に、図１〜図４を参照して、この考案の実施例１に係るラグ１０の使用方法を説明する。
図１および図２に示すように、住宅のリビングでラグ１０を使用する際には、まずマット基材１３の表面からその外周部を包むように、大判のマットカバー１４をマット基材１３に被せる。このとき、マットカバー１４の四隅の周縁部のみにゴム紐１８が縫着されているため、各ゴム紐１８を介して、マットカバー１４の四隅部分がマット基材１３の四隅部分に仮止めされる(図３)。
次に、この仮止め状態で、各第１の面ファスナ１６と、対応する第２の面ファスナ１７とをそれぞれ掛止し、マットカバー１４をマット基材１３に装着する(図３および図４)。
こうして設けたラグ１０は、リビングのフローリングの所望の位置に敷設し、使用する。
【００２６】
使用中、このラグ１０の表面が汚れた際には、汚れが付着するマットカバー１４のみを取り外す。具体的には、マットカバー１４の外周部の各第２の面ファスナ１７を、裏地材１１の裏面の各第２の面ファスナ１７から全て外し、マットカバー１４をマット基材１３より剥がす。
その後、マットカバー１４を洗濯機に投入するか、手洗いによって洗濯する。洗濯後は、再びこれをマット基材１３に被せ、各第１の面ファスナ１６と各第２の面ファスナとを掛止してから、フローリングに敷設する。
【００２７】
このように、低反発フォーム１２を有したマット基材１３の表面全域からその外周部の裏面までをマットカバー１４により着脱自在に被うようにしたため、ラグ１０の表面が汚れた場合には、その汚れたマットカバー１４のみを取り外して洗濯することができる。
また、ラグ１０の着脱時には、裏地材１１の外周部の裏面に固定された各第１の面ファスナ１６から、マットカバー１４の外周部の裏面に固定された各第２の面ファスナ１７を掛脱するだけでよいため、マット基材１３へのマットカバー１４の着脱が容易となる。
【００２８】
しかも、マットカバー装着時、マットカバー１４の外周部によってマット基材１３の外周部を包むように配置し、かつ裏地材１１の外周部の裏面に配設した１２枚の第１の面ファスナ１６と、マットカバー１４の外周部の裏面に配設した１２枚の第２の面ファスナ１７とを掛止するように構成したため、例えば、マットカバー１４の周縁部の全長にわたって単に長尺なゴム紐１８を取り付け、マット基材１３の裏側でマットカバー１４の外周部を弾性的に絞るものに比べて、マットカバー１４をしっかりとマット基材に装着することができる。
【００２９】
これにより、ラグ１０の使用時、マットカバー１４の端部が捲れたり、マットカバー１４が位置ずれしてラグ（マットカバー１４）１０の表面に皺が現出するおそれがほとんどない。特に、幼い子供がいる家庭では、子供がラグ１０の上ではげしく暴れたり、ラグ１０を引きずることがあるが、そのような場合でも、上述したマットカバー１４の端部の捲れや、位置ずれを原因としたラグ表面上の皺の発生を抑えることができる。
さらに、矩形状のマットカバー１４の四隅の周縁部のみに仮止め用のゴム紐１８を縫着したため、対応する各面ファスナ１６，１７を掛止する際、各ゴム紐１８によってマットカバー１４の四隅部分をマット基材１３の四隅部分に仮止めすることができる。これにより、対応する各面ファスナ１６，１７の掛止作業が容易となる。
【００３０】
さらにまた、裏地材１１の外周に、その全周にわたってヘム部１５を形成したため、マットカバー１４をマット基材１３に被せたり、マット基材１３からこれを剥がす際に、裏地材１１のヘム部１５が、マット基材１３の外周部からその裏側へ折り返されるマットカバー１４の外周部の当て枠（ガイド枠）となる。これにより、低反発フォーム１２の外周部の保形成を高めることができる。
その結果、マットカバー１４の着脱時、低反発フォーム１２の外周部、特にその上側角部にヘタリや欠け等の損傷がし難くなる。このように、低反発フォーム１２の外周部がヘタらず、エッジが残った形状を維持できれば、ラグ１０のデザイン性(高級感)が高まるとともに、外周縁を含むラグ１０の全域にわたって、このラグ中央部分と遜色のないクッション性（踏み心地）等、低反発フォーム特有の効果を得ることができる。
【産業上の利用可能性】
【００３１】
この考案は、建物の床に敷設される、例えばラグ等のフロアマットの技術として有用である。
【符号の説明】
【００３２】
１０  ラグ(フロアマット)
１１  裏地材
１２  低反発フォーム
１３  マット基材
１４  マットカバー
１６  第１の面ファスナ
１７  第２の面ファスナ
１８  ゴム紐（弾性紐）
【図１】
0003206305.tif 000003
【図２】
0003206305.tif 000004
【図３】
0003206305.tif 000005
【図４】
0003206305.tif 000006